(57)【要約】  【課題】刻々と変化する環境の変化を検知して、環境の変化に応じて発光パターンが変る発光装置の提供。  【解決手段】本発明にかかる環境感応式発光システムにおいては、少なくとも２種類の異なる環境の変化（例えば、風速の変化と、人体の移動の有無）を検知して、これらの環境の変化に応じた環境情報を出力する環境情報出力手段と、前記環境情報が入力されて、前記環境情報に応じた制御信号を出力する制御手段と、前記制御信号が入力されて、前記制御信号に応じた発光パターンで発光するＬＥＤ等の発光手段とを備えている。前記制御手段は、少なくとも、前記環境情報に基づいて、発光手段の発光パターンを変更するか変更しないかを指定する制御信号と、前記環境情報とは異なる別の環境情報に基づいた発光パターンで発光手段を発光させる制御信号とを出力する。【選択図】      図１
2007012445.tif 000002
【特許請求の範囲】
【請求項１】
少なくとも２種類の異なる環境の変化を検知して、これらの環境の変化に応じた環境情報を出力する環境情報出力手段と、
前記環境情報が入力されて、前記環境情報に応じた制御信号を出力する制御手段と、
前記制御信号が入力されて、前記制御信号に応じた発光パターンで発光する発光手段と
を備えていることを特徴とする環境感応式発光システム。
【請求項２】
前記制御手段は、
少なくとも、
前記環境情報に基づいて、発光手段の発光パターンを変更するか変更しないかを指定する制御信号と、
前記環境情報とは異なる別の環境情報に基づいた発光パターンで発光手段を発光させる制御信号とを出力することを特徴とする請求項１に記載の環境感応式発光システム。
【請求項３】
前記環境情報出力手段は、
少なくとも、
所定位置における風速に応じた風速情報と、
所定領域における人体移動に応じた人感情報と
を含んだ環境情報を出力することを特徴とする請求項１または２の何れか１項に記載の環境感応式発光システム。
【請求項４】
前記環境情報出力手段は、
さらに、
所定位置における音の大小に応じた情報、
所定位置における振動の大小に応じた情報、
所定領域における明るさに応じた情報、
所定領域における物体移動に応じた情報、
時間経過に応じた情報、もしくは
時刻に応じた情報の
少なくとも何れか１つの情報を含んだ環境情報を出力することを特徴とする請求項３に記載の環境感応式発光システム。
【請求項５】
前記制御手段は、前記環境情報に応じて出力する制御信号を、
月、日、曜日、あるいは時間帯に応じて変更することを特徴とする請求項１〜４の何れか１項に記載の環境感応式発光システム。
【請求項６】
前記発光手段は、前記制御信号に応じた発光パターンで発光ダイオードを発光させるように構成されていることを特徴とする請求項１〜５の何れか１項に記載の環境感応式発光システム。
【請求項７】
前記制御手段で読み取り可能な複数種類の発光パターン情報を記憶する書き換え可能な記憶手段を備えていることを特徴とする請求項１〜６の何れか１項に記載の環境感応式発光システム。
【請求項８】
請求項７に記載の環境感応式発光システムの制御手段で読み取り可能な複数の発光パターン情報を記憶したサーバをネットワークを介してアクセス可能に設置し、ネットワークを介してアクセスしてきた所定条件を満たすクライアントに対して前記発光パターン情報の読み出しもしくはダウンロードを許可することを特徴とする発光パターン情報配信システム。
【発明の詳細な説明】
【技術分野】
【０００１】
本発明は、装飾用にも効果的に用いることができる発光装置に関するものである。
【背景技術】
【０００２】
従来より、広告や装飾用の発光装置に発光ダイオード（以下、単にＬＥＤとあらわす。）を用いたものがあり、点滅させたり、色を変化させたりして、目立ちやすいように制御されるものがある。
【発明の開示】
【発明が解決しようとする課題】
【０００３】
ところが、上述したような従来の発光装置のように、単に点滅させたり、色を変化させたりするだけでは、その変化パターンが単調であるために、すぐに慣れて目立たなくなってしまい、広告や装飾用としては不十分であった。
【０００４】
そこで、本発明は、刻々と変化する環境の変化を検知して、環境の変化に応じて発光パターンが変る発光装置の提供を目的としてなされたものである。
【課題を解決するための手段】
【０００５】
本発明にかかる請求項１の環境感応式発光システムにおいては、
少なくとも２種類の異なる環境の変化を検知して、これらの環境の変化に応じた環境情報を出力する環境情報出力手段と、
前記環境情報が入力されて、前記環境情報に応じた制御信号を出力する制御手段と、
前記制御信号が入力されて、前記制御信号に応じた発光パターンで発光する発光手段と
を備えていることを特徴としている。
【０００６】
請求項２では、
前記制御手段は、
少なくとも、
前記環境情報に基づいて、発光手段の発光パターンを変更するか変更しないかを指定する制御信号と、
前記環境情報とは異なる別の環境情報に基づいた発光パターンで発光手段を発光させる制御信号とを出力する。
【０００７】
請求項３では、
前記環境情報出力手段は、
少なくとも、
所定位置における風速に応じた風速情報と、
所定領域における人体移動に応じた人感情報と
を含んだ環境情報を出力する。
【０００８】
請求項４では、
前記環境情報出力手段は、
さらに、
所定位置における音の大小に応じた情報、
所定位置における振動の大小に応じた情報、
所定領域における明るさに応じた情報、
所定領域における物体移動に応じた情報、
時間経過に応じた情報、もしくは
時刻に応じた情報の
少なくとも何れか１つの情報を含んだ環境情報を出力する。
【０００９】
請求項５では、
前記制御手段は、前記環境情報に応じて出力する制御信号を、
月、日、曜日、あるいは時間帯に応じて変更する。
請求項６では、
前記発光手段は、前記制御信号に応じた発光パターンで発光ダイオードを発光させるように構成されている。
請求項７では、
前記制御手段で読み取り可能な複数種類の発光パターン情報を記憶する書き換え可能な記憶手段を備えている。
請求項８の発光パターン情報配信システムは、
請求項７に記載の環境感応式発光システムの制御手段で読み取り可能な複数の発光パターン情報を記憶したサーバをネットワークを介してアクセス可能に設置し、ネットワークを介してアクセスしてきた所定条件を満たすクライアントに対して前記発光パターン情報の読み出しもしくはダウンロードを許可することを特徴としている。
【発明の効果】
【００１０】
本発明の環境感応式発光システムにおいては、
少なくとも２種類の異なる環境の変化を検知して、これらの環境の変化に応じた環境情報を出力する環境情報出力手段と、
前記環境情報が入力されて、前記環境情報に応じた制御信号を出力する制御手段と、
前記制御信号が入力されて、前記制御信号に応じた発光パターンで発光する発光手段と
を備えているので、
種々の環境情報の組合せに応じて変化のある発光パターンでＬＥＤ等の光源が発光するので、飽きにくく優れた注意喚起効果が得られる。
また、本発明の発光パターン情報配信システムによれば、本発明を広い応用範囲に適応でき、新たなビジネスの可能性もある。
【発明を実施するための最良の形態】
【００１１】
以下に、本発明にかかる環境感応式発光システムを、その実施の形態を示した図面に基づいて詳細に説明する。
１は環境感応式発光システムであり、環境情報出力手段２、制御手段３、そして発光手段４を備えている。その他に電源やケーシング等を必要に応じて備えている。
前記環境情報出力手段２は、
所定位置における風速に応じた風速情報を出力する風速センサ２１と、
所定領域における人体移動に応じた人感情報を出力する人感センサ２２と、
所定位置における音の大小に応じた情報を出力する音響センサ２３と、
所定位置における振動の大小に応じた情報を出力する振動センサ２４と、
所定領域における明るさに応じた情報を出力する光センサ２５と、
所定領域における物体移動に応じた情報を出力する物体移動センサ２６と、
数秒の時間経過に応じた情報を出力するタイマ２７と、
朝・昼・夜等の時刻に応じた情報を出力する時計ユニット２８とを含んでいる。
以上の各センサ等から出力される各情報は環境情報として制御手段３へ入力される。
【００１２】
前記制御手段３は、
例えば、
前記人感センサ２２から、所定領域において人体が移動したことを検知した人感情報が出力される場合には、前記人感情報に基づいて発光手段の発光パターンを変更するように指定する制御信号を出力し、さらに、前記風速センサ２１にて検知される風速の大小に基づいた発光パターンで発光手段を発光させる制御信号とを出力し、例えば、風速に応じて発光手段の輝度を変化させるような制御信号を出力することによって、風によって光が揺らぐ様子を表現する。
【００１３】
また、前記音響センサ２３から周囲の騒音が大きいことを検知した情報が出力されると、例えば発光手段の輝度を全体的に増加させるように、当該制御手段３から出力される制御信号を変更する。
また、前記振動センサ２４から大きな振動を検知した情報が出力されると、例えば発光手段の輝度を全体的に増加させるように、当該制御手段３から出力される制御信号を変更する。
また、前記光センサ２５から周囲の明るさが暗くなったことを検知した情報が出力されると、例えば発光手段の輝度を全体的に低下させるように、当該制御手段３から出力される制御信号を変更する。
また、前記物体移動センサ２６から大きな振動を検知した情報が出力されると、例えば発光手段の輝度を全体的に増加させるように、当該制御手段３から出力される制御信号を変更する。
前記制御手段３はフラッシュメモリ等の書き換え可能で不揮発性の記憶手段３２を備え、この記憶手段３２に、前記制御手段３で読み取り可能な複数種類の発光パターン情報を記憶してもよい。このときは、複数の種類の発光パターンの何れかを選択して使用する。
【００１４】
また、図５に示したように、本発明の環境感応式発光システムの制御手段３で読み取り可能な複数の発光パターン情報を記憶したサーバＳを、ネットワークＮを介してアクセス可能に設置し、前記ネットワークＮを介してアクセスしてきた所定条件を満たすクライアントＣにたいして前記発光パターン情報の読み出しやダウンロードを許可する発光パターン情報配信システムを構築してもよい。
この場合、環境感応式発光システムの制御手段３にはマイクロコンピュータやシーケンサ等のデジタル制御手段を採用して、風速センサと人感センサからの信号に基づいて、種々のパターンでＬＥＤを発光させるように構成する。そして、点灯条件や、種々の発光パターンや、それらの切り換え条件等の制御データを発光パターン情報として、書き換え可能な記憶手段に記憶させておき、前記デジタル制御手段によって読みだしてＬＥＤを明暗制御するようにしてもよい。
そして、発光パターン情報は、前記サーバＳやフラッシュメモリ等の可搬記憶媒体を介して更新可能にする。
このように構成することによって、本発明が更に広い範囲に適応できるとともに、このような特定の発光パターン情報が、商品として流通する可能性もあって新たなビジネスの機会も得られる。
【００１５】
具体的な例としては、図４に示したようにアナログ技術で回路構成してもよいが、デジタル技術で構成してもよい。
デジタル技術で構成する場合は、前記環境情報出力手段を構成する各センサから出力される環境情報を、数ビットのデジタル信号として出力されるように構成し、前記制御手段３においては、前記各センサからのデジタル信号の組合せに応じて予め設定された所定の制御信号を出力するように構成することができる。
【００１６】
また、前記タイマ２７から出力される時間経過信号に応じて前記発光手段の輝度を所定のゆらぎパターンで強弱変化させるように、当該制御手段３から出力される制御信号を変更することもできる。
さらにまた、前記時計ユニット２８から出力される時刻情報に応じて、例えば、深夜０時から朝の６時までは後述する警戒モードで作動し、朝の６時から夕方１８時までは前記発光手段が点灯しないような制御信号を出力し、夕方の１８時から深夜０時までは前記発光手段が各情報に応じて点灯するような制御信号を出力するように構成してもよい。
前記警戒モードとは、人感センサが人体を検知した場合には、他のセンサからの情報の如何にかかわらず最大輝度で前記発光手段を点滅させるとともに、ブザー（図示せず。）を鳴動させるモードである。従って、例えば、深夜０時から朝の６時まで前記警戒モードで作動させると、深夜に不審者等が侵入した場合に最大輝度で点滅を繰り返すとともにブザー音によって不審者の進入を知ることができる。
以上の時間は自由に設定できることは当然である。
【００１７】
また、前記制御手段３は、年、月、日、あるいは曜日に応じたカレンダー情報を出力するカレンダーユニット３１を備え、前記環境情報出力手段の各センサから出力される情報に基づいて出力される制御信号を、前記カレンダー情報に応じて予め設定された制御情報に置き換えて出力するように構成することもできる。
この場合には、月日の情報に基づいて四季を判断して、発光手段の発光パターンを季節に応じて変更するように構成することができる。
また、年月日の情報に基づいてその夜の月齢を知り、夜間においては月の明るさに応じて発光手段の発光パターンを変更するように構成することができる。
また、曜日の情報に基づいてその日の曜日を知り、曜日によって発光手段の発光パターンを変更するように構成することができる。例えば、週末や休日の前夜は深夜２時まで発光手段の輝度が明暗制御されるように制御することができる。
【００１８】
前記発光手段４は、前記制御信号に応じた発光パターンで発光ダイオードを発光させるように構成されているので、例えば、図２に示したような発光パターンで明暗もしくは点滅する。
図２において、
タイミングＴ１において、図２の（ａ）に示したように、前記人感センサ２２が人体を検知して人感情報を出力した場合、このとき、タイマ２７からは例えば夜２１時である情報が出力されると、前記制御手段３は、図２の（ｂ）に示したように、発光手段を点灯させる制御信号を出力する。そして、風速センサ２１から出力される風速信号が図２の（ｃ）のような強弱パターンで出力されると、制御信号は図２の（ｄ）に示したような繰り返しパターンで出力される。
従って、発光手段は、タイミングＴ１から、図２の（ｅ）に示したような輝度変化パターンで明暗制御される。
そして、タイミングＴ２において、前記人感センサ２２からの人感情報の出力が終了した場合、前記タイマ２７を作動させて、例えば数秒間経過後のタイミングＴ３において、発光手段が消灯するような前記制御信号（図２の（ｂ））を出力する。
以上の説明は、あくまでも発光パターンの一例の説明である。
【００１９】
なお、前記環境情報出力手段２は、少なくとも、所定位置における風速に応じた風速情報を出力する風速センサ２１と、所定領域における人体移動に応じた人感情報を出力する人感センサ２２とを備えていると好ましい。
【実施例１】
【００２０】
次に、本発明の実施例１を図面を参照しながら説明する。
図３に示した庭園用の灯籠５は、天然石もしくは人工石製の灯籠本体の内部に、発光手段としてのＬＥＤ５４が配設されており、このＬＥＤ５４を制御するための制御回路５３と、風速センサ５２１と人感センサ５２２とが配設されている。
前記風速センサ５２１としては温度補償回路を備えたサーミスタが用いられており、前記人感センサ５２２としてはフレネルレンズを備えた焦電形赤外線センサが用いられている。
前記風速センサ５２１は周囲の風速を検知しやすく、且つ雨等が直接かからないように、例えば灯籠本体の笠の軒下部分に露出した状態で配設されている。なお、この風速センサ５２１としては防滴構造とすることが好ましい。この風速センサは周囲に複数個配設すると異なる方向からの風を検知しやすくなる。
【００２１】
前記人感センサ５２２は正面側の領域における人体を検知しやすく、且つ雨等が直接かからないように、例えば灯籠本体の笠の軒下部分に正面側が検知領域となるように配設するか、前記灯籠本体の正面側の窓に赤外線を透過しやすい透光材を取り付け、その内側に正面側が検知領域となるように配設するとよい。
前記ＬＥＤ５４としては、放熱フィンを備えた大容量ＬＥＤ（6.84ボルト、0.7Ａ、５Ｗ）が用いられ、前記灯籠本体の窓の内側に反射材もしくは光拡散材とともに配設されている。
前記制御回路５３には、前記風速センサ５２１と人感センサ５２２からの信号線が接続されており、制御信号に応じて前記ＬＥＤ５４を点灯させるためのコードが接続されている。また、図示しない低圧電源から電源コード５５を介して低圧直流電源が供給されている。前記制御回路５３も防滴構造とすることが望ましい。
【００２２】
次に、前記制御回路５３回りの回路図を図４に示して、その構成と動作の概要を説明する。
図４において、
サーミスタを利用した風速センサ５２１は専用の回路モジュール５３１に接続され、この回路モジュール５３１からは温度補償が施されて風速に対応した信号（風速情報）を出力する。
前記風速に対応した信号（風速情報）は、オペアンプを用いた増幅回路５３２において、風速に応じた電圧レベルの風速検知信号に変換されて出力される。この風速検知信号はＶ／Ｆコンバーター回路５３３に入力されて、風速に関連付けられたパルス列信号が出力される。
このパルス列信号はパワートランジスタ５３４のベースに入力されて、パワートランジスタ５３４を風速に関連付けられた周期でオンオフし、大容量ＬＥＤ５４へ供給される直流電流を制御することによって、大容量ＬＥＤ５４の輝度を制御する。
【００２３】
一方、焦電形赤外線センサを利用した人感センサ５２２から出力される人感情報は、オペアンプを用いた増幅回路５３５において増幅されて、ウインドウコンパレータ５３６にて上下限のしきい値と比較されて、所定の範囲の信号が入力されたときにのみ、ウインドウコンパレータ５３６から人体検知パルス信号が出力される。この人体検知パルス信号はタイマ回路５３７で所定幅（例えば３秒間）に保持される。タイマ回路５３８では数ヘルツのパルスが作られ、パワートランジスタ５３９をオンオフさせる。
このパワートランジスタ５３９がオンすると、このパワートランジスタ５３９のコレクタとエミッタに並列接続された抵抗Ｒの両端が短絡されるので、前記パワートランジスタ５３４と大容量ＬＥＤ５４との直列回路には、電源電圧（１２Ｖ）がほぼ全て印加される。従って、この状態で前記パワートランジスタ５３４が風速に応じた周波数でオンオフされると、前記大容量ＬＥＤ５４は、最大の明るさと前記抵抗Ｒによって規定される暗さの間を、前記周期で明暗して繰り返す。
【００２４】
人体を検知していないときには、前記パワートランジスタ５３９はオンされるので、風速を検知した場合には、大容量ＬＥＤ５４は前記抵抗Ｒによって制限されることなく、風速に応じた輝度で発光する。
【００２５】
無風状態（所定の強さ以上の風が検知されない状態）では、前記パワートランジスタ５３４はオンされており、前記大容量ＬＥＤ５４と前記パワートランジスタ５３９との直列回路には、電源電圧（１２Ｖ）がほぼ全て印加される。従って、この状態で人体を検知して前記パワートランジスタ５３９がオフされると、前記大容量ＬＥＤ５４は、前記抵抗Ｒで制限された輝度で発光する。
このように、前記大容量ＬＥＤ５４は、人体を検知するとタイマ回路５３８で規定される周期で明暗を繰り返し、さらに、風の強さに応じた輝度が変化するという複雑な動作をするので、大きな注意喚起効果が得られる。従って、庭園用の灯籠の光源として採用すると、あたかも風で炎が揺らいでいるような状況をかもしだすので、すぐれた雰囲気をつくることができる。
さらには、灯籠だけでなく、種々の光源として利用でき、装飾用の光源や広告用の光源としても大きな利用価値がある。
【実施例２】
【００２６】
実施例２の環境感応式発光システムは、風速の大小の程度に応じてＬＥＤの輝度を変化させたり、風を検知した信号をトリガーとして、所定の明暗繰り返しパターンで発光するように構成してもよい。このときも、実施例１と同様に人体を検知したときと検知しないときとは、同じ発光パターンであっても明るさが異なるように制御するとよい。
また、明暗を繰り返す発光パターンを種々のパターンで予め準備しておき、検知される環境情報の組合せに応じて、前記種々の発光パターンの何れかに切り替えるように構成することもできる。
それらの発光パターンには、疑似ランダム関数を用いて、あたかもランダムに明暗を繰り返すように制御してもよい。
これらの発光パターンは、四季の違い、時間帯の違い、または曜日の違い等に応じて切り替えるとよい。
【００２７】
なお、図４の回路構成はあくまでの１例であって、風速センサと人感センサとの信号に基づいて、種々のパターンでＬＥＤを発光させるものであれば、他の回路構成で実現できることはいうまでもない。
【図面の簡単な説明】
【００２８】
【図１】本発明にかかる環境感応式発光システムの実施の形態の構成を示した構成図である。
【図２】前記環境感応式発光システムの動作を説明するタイムチャートである。
【図３】実施例１の環境感応式発光システムを用いた灯籠の斜視図である。
【図４】実施例１の環境感応式発光システムの回路図例である。
【図５】本発明にかかる発光パターン情報配信システムの構成例である。
【符号の説明】
【００２９】
１  環境感応式発光システム
２  環境情報出力手段
２１  風速センサ
２２  人感センサ
２３  音響センサ
２４  振動センサ
２５  光センサ
２６  物体移動センサ
２７  タイマ
２８  時計ユニット
３  制御手段
３２  記憶手段
４  発光手段
５４  大容量ＬＥＤ
５２１  風速センサ
５２２  人感センサ
Ｓ    サーバ
Ｎ    ネットワーク
Ｃ    クライアント
【図１】
2007012445.tif 000003
【図２】
2007012445.tif 000004
【図３】
2007012445.tif 000005
【図４】
2007012445.tif 000006
【図５】
2007012445.tif 000007